(57)【要約】【課題】時分割通信方式を用いて親機と子機を無線で接続する無線通信システムは、通信用スロットの空きがない場合に、緊急を要する新規通信を受け付けないという課題がある。【解決手段】時分割通信方式を用いて制御局と従属局が通信を行う無線装置にて、ドアホン装置２とドアホン子機３とカメラ子機４を構成する。全てのスロットが使用中の状態で、従属局からの優先呼要求を制御局の送信する制御信号に対応する受信スロットを用いて制御局に通知し、制御局は全通話中のスロットの中から１つまたはそれ以上のスロットを強制解放する。【選択図】図１
2007194783.tif 000002
【特許請求の範囲】
【請求項１】
ＴＤＭＡの少なくとも１つのスロットで同期の基準となる制御信号を送信する制御局と、前記制御信号を受信し、前記制御局のタイミングに同期して動作する複数の従属局からなる無線通信システムであって、
前記制御局は、従属局から受信した優先要求を受信すると、通信中のスロットの中から少なくとも１つ選択し、選択されたスロットを解放する旨の通知を他の従属局に送信し、前記従属局は、スロットが全て使用中の状態のときに前記制御局への送信要求があると、前記制御局の制御信号の送信スロットに対応する制御信号受信スロットを使用して前記制御局に対して前記優先要求を送信し、前記制御局からスロットの解放を要求する通知を受信すると、前記選択されたスロットを開放することを特徴とする無線通信システム。
【請求項２】
前記従属局は、前記優先要求を送信後に、使用可能な空きスロットを検出し、検出した空きスロットを使用して優先通信のリンク確立をすることを特徴とする請求項１記載の無線通信システム。
【請求項３】
前記制御局は、解放を行ったスロットの情報を含むスロット情報を制御信号で送信し、
前記従属局は、受信したスロット情報に基づいて優先通信のリンク確立をすることを特徴とする請求項１記載の無線通信システム。
【請求項４】
前記制御局は、スロットの解放後、前記優先要求を送信した従属局に対して呼び出し通知を制御信号に含めて送信し、
前記従属局は、使用可能な空きスロットを検出すると共に、前記呼び出し通知を受信したときに、検出された空きスロットで前記制御局と優先通信のリンク確立をすることを特徴とする請求項１記載の無線通信システム。
【請求項５】
前記制御局は、スロットの解放後、前記優先要求を送信した従属局に対して、解放を行ったスロット情報と共に呼び出し通知を制御信号に含めて送信し、
前記従属局は、前記呼び出し通知を受信すると、受信した解放を行ったスロット情報に基づいてスロットを選択し、前記制御局と優先通信のリンク確立をすることを特徴とする請求項１記載の無線通信システム。
【請求項６】
前記従属局は、他の従属局と識別する識別符号を有し、前記優先要求の送信時、および前記優先通信のリンク確立時に前記識別符号を前記制御局に送信し、
前記制御局は、スロット解放後に、リンク確立の要求を送信した従属局の識別符号を、予め設定された前記従属局の識別符号と比較し、不一致である従属局からのリンク確立の要求を拒絶することを特徴とする請求項１記載の無線通信システム。
【請求項７】
前記従属局は、スロットが全て使用中の状態で優先通信以外の一般通信が要求された場合に、前記制御局の制御信号の送信スロットに対応する受信スロットを使用して、一般通信の要求を送信し、
前記制御局は、前記一般通信の要求を受信した際に、前記一般通信の生起を前記制御局に同期した１つまたは複数の従属局に制御信号で報知することを特徴とする請求項１記載の無線通信システム。
【請求項８】
前記制御局の同期の基準となる第２の制御信号をＴＤＭＡの少なくとも１つのスロットで送信する主制御局を備え、
前記制御局は、前記主制御局のＴＤＭＡのタイミングに同期して動作すると共に、前記第２の制御信号とは異なるスロットで前記制御信号を送信し、
前記従属局は、スロットが全て使用中の状態で優先通信を要求するときに、前記主制御局
の送信する第２の制御信号のスロットに対応する受信スロットを使用して前記制御局に対して優先通信の要求を送信することを特徴とする請求項１から７のいずれかの項に記載の無線通信システム。
【請求項９】
前記従属局は、スロットが全て使用中の状態で優先通信を要求するときに、前記制御局が送信する制御信号の送信スロットに対応する受信スロットと、前記主制御局が送信する第２の制御信号の送信スロットに対応する受信スロットとを使用して前記制御局に対して優先要求を２つのスロットで繰り返し送信し、
前記制御局は、前記２つのスロットで前記優先通信の要求を受信することを特徴とする請求項８記載の無線通信システム。
【請求項１０】
ＴＤＭＡの少なくとも１つのスロットで同期の基準となる制御信号を送信する制御局と、前記制御信号を受信し、前記制御局のタイミングに同期して動作する複数の従属局との無線通信方法であって、
前記制御局は、従属局から受信した優先要求を受信すると、通信中のスロットの中から少なくとも１つ選択し、選択されたスロットを解放する旨の通知を他の従属局に送信し、前記従属局は、スロットが全て使用中の状態のときに前記制御局への送信要求があると、前記制御局の制御信号の送信スロットに対応する制御信号受信スロットを使用して前記制御局に対して前記優先要求を送信し、前記制御局からスロットの解放を要求する通知を受信すると、前記選択されたスロットを開放することを特徴とする無線通信方法。
【発明の詳細な説明】
【技術分野】
【０００１】
本発明は、制御局と従属局とが時分割多重／時分割複信で通信を行う無線通信システムおよび無線通信方法に関するものである。
【背景技術】
【０００２】
近年、無線技術の発展がめざましく、無線通信装置の小型、軽量化、低価格化が進み、一般家庭で利用されるような通信装置においても無線通信を利用した無線通信システムが広く普及している。
【０００３】
例えば、家庭内で用いられる代表的な無線通信システムは、コードレス電話である。コードレス電話は、公衆回線と接続された親機と１台以上の子機で構成される。親機と、子機との間は無線通信によって接続されており、使用者は、子機を自由に持ち運ぶことができるので利便性が高い。
【０００４】
一方、玄関に設置された玄関子機の呼出ボタンが押されると、室内に設けられた室内親機より、報知音がなり、室内親機の応答ボタンを押すことにより、玄関子機との通話、すなわち、来客者との通話が可能なドアホンも広く普及している。
【０００５】
このドアホンの利便性を高めるため、ドアホンとコードレス電話を直接、あるいは、中継機を介して接続し、コードレス電話でドアホンの対応ができるシステムが実用化されている。そのような装置では、ドアホンの玄関子機の呼出ボタンが押されると、室内親機より、コードレス電話の親機に来客の通知がなされ、コードレス電話の親機、子機で、ドアホンの着信（来客）の報知がなされる。そして、コードレス電話の親機、または子機で応答すると、玄関子機との音声パスが接続され、コードレス電話の親機または子機と、玄関子機との通話、すなわち、来客者との通話が可能となる。
【０００６】
更に、コードレス電話とドアホンの接続において、設置の際の利便性を向上させるために、コードレス電話とドアホン間の接続を無線によって接続する技術が特許文献１に記載されている。
【０００７】
この特許文献１に記載のコードレス電話とドアホンとで構成されるコードレスドアホンシステムは、呼出ボタンとワイヤレス送受信部とを設けたドアホンと、ドアホンからの呼出信号を電波信号の形で受け、ドアホンとの間で通話を可能としたワイヤレス送受信部を設けたコードレス電話とを組み合わせて構成されたものである。すなわち、ドアホンの呼出ボタンが押されると、無線通信により、コードレス電話親機に通知され、内線呼び出しと同様にして、コードレス電話親機および子機にドアホンからの呼び出しが報知される。そしてコードレス電話親機、または子機で応答すると、ドアホンとの音声信号あるいは玄関子機で撮影された画像信号を送るための無線リンクを確立し、コードレス電話親機、または子機でドアホン側からの呼び出しに対する応答が可能となる。
【０００８】
更に、交換機、親局、子局、および端末で構成される多方向多重通信システムにおいては、通話チャネルが全て使用中の状態において、特定の緊急通話先への通信を可能とする技術が特許文献２に記載されている。
【０００９】
この特許文献２に記載された多方向多重通信システムは、親局と子局との間の伝送路として、各子局に共通な情報伝送チャネル、および呼が生起する毎に割当てる複数の通話チャネルを用い、各子局には複数の端末が接続されている。子局は、端末からの緊急通話要
求を受けると真偽判定を行い、真の緊急通話要求を、情報伝送チャネルを介して親局へ送出する。親機は要求に基づき通話中の全通話チャネルの中の１つのチャネルを強制切断して、その強制切断したチャネルを緊急通話用のチャネルに割り当て、通話チャネル割り当て情報を情報伝送チャネルを介して子局へ送出する。このようにして、通話チャネルが全て使用中の場合でも、緊急通話が可能としている。
【特許文献１】特開平１１−１３６３７３号公報
【特許文献２】特許第２５３５９４０号公報
【発明の開示】
【発明が解決しようとする課題】
【００１０】
しかしながら、特許文献１に記載の無線通信システムでは、ドアホンの呼び出しに応答するための端末装置が、コードレス電話の親機、または子機であるため、コードレス電話が外線通話や内線通話等でビジー状態の時、ドアホン側からの着信が報知できないという問題点を有している。
【００１１】
また、コードレス電話の子機でドアホンと通信する場合、ドアホンとコードレスレス電話親機を無線接続し、コードレス電話親機と子機を無線接続することにより子機でドアホンと通信を行うため、無線リソースが２つ必要であり、無線リソースの不足で通信ができない危険が増すという課題を有している。
【００１２】
更に、特許文献２に記載の多方向多重通信システムでは、一般公衆電話網における一般加入者端末装置から警察署や消防署への緊急通話を可能にする大規模システムの技術であり、一般加入者端末装置から緊急呼要求を受けた際、その真偽判定を行う為の特別な処理が必要である。また、緊急通話以外の呼に対しては着信を報知できないという問題点を有している。
【００１３】
本発明は、上記課題を省みて、無線通信システムにおいて、無線リソースが不足した状態で、緊急通話などの優先通信が発生した場合でも、通話することが可能な無線通信システムおよび無線通信方法を提供することを目的とする。
【課題を解決するための手段】
【００１４】
本発明は、制御局が送信する制御信号に対応する受信スロットを用いて、従属局が優先通信の要求を制御局へ送信することで、制御局は全通信の中から１つの通信を強制解放することを主要な特徴とする。
【発明の効果】
【００１５】
本発明の無線通信システムは、無線リソースが不足の状態で緊急通話などの優先呼が発生した場合でも、優先通信のリンク確立を行うことが可能となる利点を有する。
【発明を実施するための最良の形態】
【００１６】
本発明は、ＴＤＭＡ方式の無線通信システムにおいて、無線リソースが不足の状態でも優先通信のリンク確立を可能にするという目的を、従属局が優先通信の要求を制御局に通知し、制御局が無線リソースの強制解放を行うことにより実現した。
【００１７】
上記課題を解決するためになされた第１の発明は、ＴＤＭＡの少なくとも１つのスロットで同期の基準となる制御信号を送信する制御局と、制御信号を受信し制御局のタイミングに同期して動作する複数の従属局からなる無線通信システムであって、制御局は、従属局から受信した優先呼要求を受信すると、通信中のスロットの中から少なくとも１つ選択し、選択されたスロットの解放を要求する通知を他の従属局に送信し、従属局は、スロットが全て使用中の状態のときに制御局への送信要求があると、制御局の制御信号の送信ス
ロットに対応する制御信号受信スロットを使用して制御局に対して優先呼要求を送信し、制御局からスロットの解放を要求する通知を受信すると、選択されたスロットを開放することを特徴としたものである。
【００１８】
従属局は優先要求を制御局に通知し、制御局は通信中の中から１つを強制解放することにより、スロットが全て使用中の状態であっても優先通信用のスロットを確保することができ、優先通信のリンク確立を行うことが可能となる。
【００１９】
上記課題を解決するためになされた第２の発明は、従属局は、優先要求を送信後に、使用可能な空きスロットを検出し、検出した空きスロットを使用して優先通信のリンク確立をすることを特徴としたものである。
【００２０】
従属局は、優先要求のために制御局が解放したスロット位置を自立的に検出することにより、検出したスロット位置を使用して優先通信のためのリンク確立を行うことが可能となる。
【００２１】
上記課題を解決するためになされた第３の発明は、制御局は、解放を行ったスロットの情報を含むスロット情報を制御信号で送信し、従属局は、受信したスロット情報に基づいて優先通信のリンク確立をすることを特徴としたものである。
【００２２】
制御局が解放したスロット位置を報知することにより、従属局は直ちに使用可能なスロットを選択できるため、自ら空きスロットを検出する方法よりも短時間で優先通信のリンク確立を行うことが可能となる。
【００２３】
上記課題を解決するためになされた第４の発明は、制御局は、スロットの解放後、優先要求を送信した従属局に対して呼び出し通知を制御信号に含めて送信し、従属局は、使用可能な空きスロットを検出すると共に、呼び出し通知を受信したときに、検出された空きスロットで制御局と優先通信のリンク確立をすることを特徴としたものである。
【００２４】
制御局から、優先要求を行った従属局に対して個別に着信を報知するため、従属局は制御局がスロット解放の処理を完了したか否かを監視する必要がなく、従属局の構成を簡略にできる。
【００２５】
上記課題を解決するためになされた第５の発明は、制御局は、スロットの解放後、優先呼要求を送信した従属局に対して、解放を行ったスロット情報と共に呼び出し通知を制御信号に含めて送信し、従属局は、呼び出し通知を受信すると、受信した解放を行ったスロット情報に基づいてスロットを選択し、制御局と優先通信のリンク確立をすることを特徴としたものである。
【００２６】
制御局から、優先要求を行った従属局に対して個別に着信を報知するため、従属局は制御局がスロット解放の処理を完了したか否かを監視する必要がなく、従属局の構成を簡略にできる。また、制御局が解放したスロット位置を報知することにより、従属局は直ちに使用可能なスロットを選択できるため、自ら空きスロットを検出する方法よりも短時間で優先通信のリンク確立を行うことが可能となる。
【００２７】
上記課題を解決するためになされた第６の発明は、従属局は、他の従属局と識別する識別符号を有し、優先呼要求の送信時、および優先通信のリンク確立時に識別符号を制御局に送信し、制御局は、スロット解放後に、リンク確立の要求を送信した従属局の識別符号を、予め設定された従属局の識別符号と比較し、不一致である従属局からのリンク確立の要求を拒絶することを特徴としたものである。
【００２８】
従属局が、優先要求を行う際に識別符号を併せて制御局に送信することにより、制御局がスロット解放の直後に、優先要求を行った従属局とは異なる従属局が通話要求を行って先にスロットを使用することにより、優先要求を行った従属局の優先呼のリンク確立が失敗する可能性を低減できる。
【００２９】
上記課題を解決するためになされた第７の発明は、従属局は、スロットが全て使用中の状態で優先通信以外の一般通信が要求された場合に、制御局の制御信号の送信スロットに対応する受信スロットを使用して、一般通信の要求を送信し、制御局は、一般通信の要求を受信した際に、一般通信の生起を制御局に同期した１つまたは複数の従属局に制御信号で報知することを特徴としたものである。
【００３０】
スロットが全て使用中の状態で、従属局が一般通信の要求を送信した場合、制御局が制御信号を介して一般通信の生起を他の従属局に報知することにより、他の従属局は一般通信の生起を認識することができ、現在の通信が完了後に必要に応じて一般通信に応答するなど利便性が向上する。
【００３１】
上記課題を解決するためになされた第８の発明は、制御局の同期の基準となる第２の制御信号をＴＤＭＡの少なくとも１つのスロットで送信する主制御局を備え、制御局は、主制御局のＴＤＭＡのタイミングに同期して動作すると共に、第２の制御信号とは異なるスロットで制御信号を送信し、従属局は、スロットが全て使用中の状態で優先通信を要求するときに、主制御局の送信する第２の制御信号のスロットに対応する受信スロットを使用して制御局に対して優先通信の要求を送信することを特徴としたものである。
【００３２】
主制御局に制御局が同期し、制御局に従属局が同期する構成で、従属局が優先通信の要求を送信するときに、主制御局の第２の制御信号のスロットに対応する受信スロットを利用することで、制御局の制御信号のスロットに対応する制御信号の受信スロットが電波干渉などの理由で使用できない場合でも、優先要求を制御局に通知でき、優先呼のリンク確立の可能性を向上できる。
【００３３】
上記課題を解決するためになされた第９の発明は、従属局は、スロットが全て使用中の状態で優先通信を要求するときに、制御局が送信する制御信号の送信スロットに対応する受信スロットと、主制御局が送信する第２の制御信号の送信スロットに対応する受信スロットとを使用して制御局に対して優先要求を２つのスロットで繰返し送信し、制御局は、２つのスロットで優先通信の要求を受信することを特徴としたものである。
【００３４】
従属局は同時の２つのスロットを使用して優先要求を送信することにより、いずれか１スロットの優先要求が制御局で検出されれば、優先要求を受け付けでき、電波干渉下などで優先通信のリンク確立の可能性を向上できる。
【００３５】
上記課題を解決するためになされた第１０の発明は、ＴＤＭＡの少なくとも１つのスロットで同期の基準となる制御信号を送信する制御局と、制御信号を受信し、制御局のタイミングに同期して動作する複数の従属局との無線通信方法であって、制御局は、従属局から受信した優先要求を受信すると、通信中のスロットの中から少なくとも１つ選択し、選択されたスロットを解放する旨の通知を他の従属局に送信し、従属局は、スロットが全て使用中の状態のときに制御局への送信要求があると、制御局の制御信号の送信スロットに対応する制御信号受信スロットを使用して制御局に対して優先要求を送信し、制御局からスロットの解放を要求する通知を受信すると、選択されたスロットを開放することを特徴としたものである。
【００３６】
従属局は優先要求を制御局に通知し、制御局は通信中の中から１つを強制解放することにより、スロットが全て使用中の状態であっても優先通信用のスロットを確保することができ、優先通信のリンク確立を行うことが可能となる。
【００３７】
（実施の形態）
本発明の実施の形態に係る無線通信システムの構成を図１から図４に基づいて説明する。図１は、本発明の実施の形態に係る無線通信システムの構成を説明する図である。図２は、本発明の実施の形態に係るドアホン装置の構成を説明する図である。図３は、本発明の実施の形態に係るドアホン子機の構成を説明する図である。図４は、本発明の実施の形態に係るカメラ子機の構成を説明する図である。
【００３８】
図１に示すように、本発明の実施の形態に係る無線通信システム１は、制御局として動作するドアホン装置２と、従属局として動作するドアホン子機３と、カメラ子機４とを備えている。ドアホン装置２は、玄関子機２ａと、ドアホン親機２ｂとから構成される。図１では、従属局として動作する子機（ドアホン子機３，カメラ子機４）を２台しか図示していないが３台以上でもよい。本実施の形態の無線通信システム１では、ドアホン親機２ｂが制御局、ドアホン子機３、カメラ子機４が従属局となり、無線によるＴＤＭＡ（時分割多重）で通信している。
【００３９】
図２に示すように、ドアホン装置２は、玄関子機２ａとドアホン親機２ｂとは有線で接続されている。玄関子機２ａは、来訪者を撮像するカメラ部１０１と、来訪者と通話するための通話部１０２と、来訪者による呼び出しを検知して呼び出し通知としてドアホン親機２ｂへ送信する呼び出し検知部１０３と、撮像した来訪者の映像データと音声データと呼び出し通知を多重したり、分離したりしてドアホン親機２ｂとの通信を行う多重分離回路１０４とを備えている。
【００４０】
ドアホン親機２ｂは、モニタ回路２０１と、モニタ２０２と、画像情報記憶部２０３と、呼び出し検知部２０４と、報知部２０５と、音声回路２０６と、通話部２０７と、同期処理部２０８と、フレーム処理部２０９と、無線部２１０と、操作部２１１と、アンテナ２１３と、制御部２１４と、優先呼受信処理部２１５と、ドアホンＩＤ記憶部２１６と、子機ＩＤ記憶部２１７と、多重分離回路２２０とを備えている。
【００４１】
モニタ回路２０１は、多重分離回路２２０に接続され、玄関子機２ａからの映像データをモニタ２０２へ表示させる。
【００４２】
画像情報記憶部２０３は、玄関子機２ａからの映像データをモニタ回路２０１を介して記憶し、制御部２１４へ出力する。
【００４３】
呼び出し検知部２０４は、多重分離回路２２０に接続され、玄関子機２ａの呼び出し検知部１０３からの呼び出し通知を検知して報知部２０５のチャイムなどを鳴動させて使用者へ来訪者があることを報知するとともに制御部２１４へ通知する。
【００４４】
音声回路２０６は、多重分離回路２２０に接続され、通話部２０７のマイクから入力された音声信号を音声データへ変換して玄関子機２ａへ送信したり、玄関子機２ａから受信した音声データを音声信号に変換して通話部２０７のスピーカにより鳴らしたり、ドアホン子機３あるいはカメラ子機４と通信する際に音声データを玄関子機２ａへ中継したりする機能を備えている。
【００４５】
同期処理部２０８は、フレーム処理部２０９および制御部２１４と接続され、パケットの先頭のプリアンブルとシンクワードで同期処理を行う。
【００４６】
フレーム処理部２０９は、音声回路２０６、無線部２１０および制御部２１４に接続され、復調データから同期信号を元に制御データフィールドおよび情報データフィールドを抽出して制御部２１４または音声回路２０６に出力する機能を備えている。
【００４７】
無線部２１０は、ＴＤＭＡで通信を行うための変調および復調を行い、アンテナ２１３を介して送受信する。
【００４８】
操作部２１１は、来訪者と通話する際に押下されるキーを備えている。
【００４９】
制御部２１４は、玄関子機２ａおよびドアホン親機２ｂを総括制御するものである。
【００５０】
優先呼受信処理部２１５は、全てのスロットが使用中の場合に従属局からの優先呼要求を検出し、全通話中の呼の中から１つのスロットを強制開放するために制御部２１４に要求を行う。
【００５１】
ドアホンＩＤ記憶部２１６は、制御局である自装置のＩＤが登録されている。また子機ＩＤ記憶部２１７は、ドアホン装置２に登録された従属局として動作するドアホン子機３、およびカメラ子機４の識別情報であるＩＤが登録されており、制御部２１４から読み出し可能に接続されている。
【００５２】
次に、ドアホン子機３について図３に基づいて詳細に説明する。図３に示すように、ドアホン子機３は、報知部３０１と、音声回路３０２と、通話部３０３と、モニタ回路３０４と、同期処理部３０５と、フレーム処理部３０６と、無線部３０７と、アンテナ３０８と、操作部３０９と、制御部３１０と、子機ＩＤ記憶部３１１と、ドアホンＩＤ記憶部３１３と、モニタ３１４とを備えている。
【００５３】
報知部３０１は、制御部３１０に接続されており、制御部３１０からの通知により、電話回線からの着信や、ドアホン装置２からの来訪者の通知を報知する。
【００５４】
音声回路３０２は、フレーム処理部３０６と通話部３０３に接続され、通話部３０３のマイクから入力された音声信号を音声データへ変換してフレーム処理部３０６へ出力したり、制御部３１０またはフレーム処理部３０６から入力した音声データを音声信号に変換して通話部３０３のスピーカにより鳴らしたりする。
【００５５】
モニタ回路３０４は、制御部３１０に接続され、ドアホン装置２からの映像データをモニタ３１４へ表示させる。
【００５６】
同期処理部３０５は、フレーム処理部３０６および制御部３１０と接続され、パケットの先頭のプリアンブルとシンクワードで同期処理を行う。
【００５７】
フレーム処理部３０６は、音声回路３０２、無線部３０７および制御部３１０に接続され、復調データから同期信号を元に制御データフィールドおよび情報データフィールドを抽出して音声回路３０２に出力する機能を備えている。
【００５８】
無線部３０７は、ＴＤＭＡで通信を行うための変調および復調を行いアンテナ３０８を介して送受信する。
【００５９】
操作部３０９は、発信先電話番号を入力する際に使用される番号キーと、オンフック／オフフックするためのキーや、リダイアルするためのキーなどの機能キーを備えている。
【００６０】
制御部３１０は、ドアホン子機３を総括制御するものである。
【００６１】
子機ＩＤ記憶部３１１は、従属局である自装置のＩＤが登録されている。ドアホンＩＤ記憶部３１３は、制御局であるドアホン装置２のＩＤが登録されている。この子機ＩＤ記憶部３１１と、ドアホンＩＤ記憶部３１３とは、制御部３１０から読み出し可能に接続されている。
【００６２】
次に、カメラ子機４について図４に基づいて詳細に説明する。図４に示すように、カメラ子機４は、カメラ検知部４０１と、音声回路４０２と、通話部４０３と、カメラ部４０４と、同期処理部４０５と、フレーム処理部４０６と、無線部４０７と、アンテナ４０８と、制御部４１０と、子機ＩＤ記憶部４１１と、ドアホンＩＤ記憶部４１３と、優先呼送信処理部４１４とを備えている。
【００６３】
カメラ検知部４０１は、制御部４１０に接続されており、カメラ検知部４０１のセンサにより設置場所近辺の人の動き等を検知し、制御部４１０に通知する。通知を受けた制御部４１０は映像データの送信をドアホン親機２ｂへ試みる。
【００６４】
音声回路４０２は、フレーム処理部４０６と通話部４０３に接続され、通話部４０３のマイクから入力された音声信号を音声データへ変換してフレーム処理部４０６へ出力したり、制御部４１０またはフレーム処理部４０６から入力した音声データを音声信号に変換して通話部４０３のスピーカにより鳴らしたりする。
【００６５】
カメラ部４０４は、制御部４１０に接続され、カメラ部４０４のカメラからの映像データを制御部４１０へ出力する。制御部４１０は必要に応じて、映像データをフレーム処理部４０６へ出力する。
【００６６】
同期処理部４０５は、フレーム処理部４０６および制御部４１０と接続され、パケットの先頭のプリアンブルとシンクワードで同期処理を行う。
【００６７】
フレーム処理部４０６は、音声回路４０２、無線部４０７および制御部４１０に接続され、復調データから同期信号を元に制御データフィールド及び情報データフィールドを抽出して音声回路４０２に出力する機能を備えている。
【００６８】
無線部４０７は、ＴＤＭＡで通信を行うための変調および復調を行いアンテナ４０８を介して送受信する。
【００６９】
制御部４１０は、ドアホン子機３を総括制御するものである。
【００７０】
子機ＩＤ記憶部４１１は、従属局である自装置のＩＤが登録されている。ドアホンＩＤ記憶部４１３は、制御局であるドアホン装置２のＩＤが登録されている。この子機ＩＤ記憶部４１１と、ドアホンＩＤ記憶部４１３とは、制御部４１０から読み出し可能に接続されている。
【００７１】
優先呼送信処理部４１４は、スロットが全て使用中の状態で、カメラ検知部４０１により設置場所近辺の人の動きなどが検知された場合に、ドアホン親機２ｂに優先呼要求するために制御部４１０に要求を行う。
【００７２】
ここで、ドアホン装置２である玄関子機２ａおよびドアホン親機２ｂと、ドアホン子機３との外観について図５から図７に基づいて説明する。図５は、玄関子機２ａの外観図で
ある。図６は、ドアホン親機２ｂの外観図である。図７は、ドアホン子機３の外観図である。
【００７３】
図５に示すように、玄関子機２ａの前面には、来訪者を撮像するためのカメラ１２０１（カメラ部１０１）と、来訪者と通話を行うマイク１２０２およびスピーカ１２０３（通話部１０２）と、来訪者がドアホン親機２ｂ、ドアホン子機３、およびカメラ子機４に来訪を伝える呼び出しボタン１２０４（呼び出し検知部１０３）が配置されている。
【００７４】
次に、図６に示すように、ドアホン親機２ｂの前面には、玄関子機２ａの来訪者の画像を映すＬＣＤパネル１０２０（モニタ２０２）と、応答ボタン１０１８が配置されている。また、玄関子機２ａの来訪者と通話するためのマイク１０１５およびスピーカ１０１６（通話部２０７）を有している。
【００７５】
そして図７に示すようにドアホン子機３の前面には、玄関子機２ａの来訪者の画像を映すＬＣＤパネル１１０７（モニタ３１４）と、応答ボタン１１０９がある。また、玄関子機２ａの来訪者と通話するためのマイク１１１０と、ドアホン子機３の背面にスピーカ１１１１とを有している。
【００７６】
以上のように構成される本発明の実施の形態に係る無線通信システム１のドアホン親機２ｂ、ドアホン子機３およびカメラ子機４がＴＤＭＡで通信を行うときのパケットデータのフォーマットを図８に基づいて説明する。図８（Ａ）および図８（Ｂ）は、パケットデータのフォーマットを説明する図である。
【００７７】
図８（Ａ）に示すように、データパケットは、制御情報を送信するときに使用されるパケットと、音声データや映像データを送信するときに使用されるパケットとがある。いずれのパケットデータも、同期信号と制御データフィールドと、制御データフィールドのチェックコードが格納されるＣＲＣ（Ｃｙｃｌｉｃ  Ｒｅｄｕｎｄａｎｃｙ  Ｃｈｅｃｋ）１のフィールドとを有している。
【００７８】
同期信号は、プリアンブルおよびシンクワードで構成され、通信元と同期を図るためのものである。制御データフィールドは、メッセージが格納されている。
【００７９】
また、音声データや画像データは、情報データフィールドに格納され、この情報データフィールドのチェックコードがＣＲＣ２に格納される。
【００８０】
図８（Ｂ）に示すように、制御データフィールドは、ヘッダ部とテール部とで構成され、ヘッダ部にはメッセージが格納される。テール部は、ヘッダ部に格納されるメッセージの内容に応じて格納される内容が異なる。例えば、ＮＴメッセージであれば、送信元のＩＤが格納されている。つまりこのＮＴメッセージは、ドアホン親機２ｂが使用する。制御局が送信したＮＴメッセージを受信した従属局は、そのスロットを制御局が使用することを認識することができる。
【００８１】
また、ＰＴメッセージは、呼び出しを行う子機（ドアホン子機３、またはカメラ子機４）のＩＤが格納される。来訪者があった場合に、ドアホン親機２ｂからの呼び出しを通知するドアホン子機３のＩＤが格納されたり、ドアホン親機２ｂ側操作によりカメラの映像を取得する場合に、ドアホン親機２ｂからの呼び出しを通知するカメラ子機４のＩＤが格納されたりする。また、複数の子機全てを同時に呼び出す場合は、全体を呼び出すことを示す特別のＩＤ（例えば、ＡＬＬ０のＩＤ）が格納される。
【００８２】
ＱＴメッセージは、通信先相手に送信スロットを通知する際に使用される。制御局が送
信したＱＴメッセージを受信した従属局は、その制御信号がフレーム内のどのスロットで送信されたかを認識することができ、制御局とのフレーム、スロットの同期を取ることができる。
【００８３】
ＭＴメッセージは、ドアホン親機２ｂが使用する場合と、子機（ドアホン子機３、または、カメラ子機４）が使用する場合がある。玄関子機２ａからの着信があり、ドアホン親機２ｂからドアホン子機３へＰＴメッセージが送信されると、オフフックしたドアホン子機３からＭＴメッセージによる通話要求が送信され、その確認応答としてドアホン親機２ｂからＭＴメッセージによる通話応答が送信される。同様に、カメラセンサが人の動きなどを検知すると、カメラ子機４からＭＴメッセージによる通話要求が送信され、その確認応答としてドアホン親機２ｂからＭＴメッセージによる通話応答が送信される。
【００８４】
次に、上述したようなパケットデータを用いてドアホン親機２ｂ、ドアホン子機３およびカメラ子機４が通信を行うときの動作を、図１から図４に基づいて説明する。なお、以下の説明では、制御局として動作するドアホン親機２ｂが時分割多重の時間の基準となる制御信号を制御情報として送信するスロットを同期スロットと呼び、同期スロットに対応するドアホン親機２ｂの受信スロットを、同期裏スロットと呼ぶことにする。また制御局が動作する際の無線信号を送信するスロットを制御局送信スロット、または従属局受信スロットと呼び、従属局が動作する際の無線信号を送信するスロットを従属局送信スロットまたは制御局受信スロットと呼ぶことにする。特に、制御局が従属局からの通信要求を待ち受けている状態で、従属局からの通信要求を受信するために受信動作をしているスロットを待ち受けスロットと呼ぶことにする。
【００８５】
まず、ドアホン親機２ｂの動作を説明する。図２に示すように制御部２１４は、電源が投入されると、自己のタイミングでＴＤＭＡのフレーム／スロットのタイミングを決定し、本無線通信システム内で予め決められた制御局送信スロットの中の任意の１つのスロットから同期スロットを選択し、制御情報の送信を開始する。
【００８６】
制御部２１４は、制御情報の送信タイミングに合わせて、送信スロット番号およびドアホンＩＤ記憶部２１６に登録された自装置のＩＤをフレーム処理部２０９に出力する。フレーム処理部２０９では、送信スロット番号およびＩＤに同期信号等を付加して無線部２１０に出力することで、アンテナ２１３を介して制御情報を送信する。そして、制御部２１４は、本無線通信システム内で予め決められた従属局送信スロットのうち、同期スロットに対応するスロットを除いたスロット、すなわち待ち受けスロットで子機（ドアホン子機３、またはカメラ子機４）からの通話要求の受信を待ち受ける定常状態に移行する制御を行う。制御部２１４は、待ち受けスロットにて、無線部２１０を受信動作となるよう制御する。
【００８７】
待ち受けスロットで受信復調された復調データは、フレーム処理部２０９に出力され、フレーム処理部２０９は、各待ち受けスロットにて入力された復調データから同期信号を元に制御データフィールド、ＣＲＣ１を抽出し、受信信号が正しければ、制御データフィールドで受信された制御情報を制御部２１４に出力する。そして、制御部２１４は、受信した制御情報に従った動作を行うよう制御を行う。例えば、受信した制御情報が通信要求であった場合は、制御部２１４は、送信元の従属局との通信を開始する動作を起動する。待ち受けスロットが全て使用中の場合、優先呼受信処理部２１５は、同期裏スロットでの受信を行うために制御部２１４に要求し、フレーム処理部２０９、無線部２１０を動作させ、制御データフィールドで受信された制御データが従属局からの優先呼要求である場合、全通話中の呼の中から１つ選び、選んだ呼の使用スロット数を縮退、もしくは強制解放するように動作する。
【００８８】
次に、ドアホン子機３の動作について説明する。図３に示すように、最初に制御部３１０は、無線部３０７を連続受信状態にし、制御局が送信する制御情報の同期捕捉動作を開始する。そして無線部３０７で受信して復調されたパケットデータがフレーム処理部３０６に渡される。
【００８９】
フレーム処理部３０６では、復調されたパケットデータから同期信号を元に制御データフィールドを抽出し、制御データフィールドの受信データに基づいて送信元のＩＤおよび受信スロット番号を制御部３１０に出力する。
【００９０】
制御部３１０では、受信したＩＤがドアホンＩＤ記憶部３１３に登録されたＩＤに一致すると、ドアホンＩＤ記憶部３１３に登録されたＩＤを受信したスロットを同期スロットとして、以降はそのタイミングでドアホン親機２ｂの受信を行う。そして、制御信号を送信しているスロットを通知する制御情報を受信すると、ドアホン親機２ｂ（制御局）とのフレーム、スロットの同期を確立する。制御部３１０は、ドアホン親機２ｂの制御情報を受信する同期スロット以外のスロットの受信を停止し、待ち受け状態に移行する。例えば、ドアホン親機２ｂより制御信号を送信しているスロットが“１”であることを通知されると、制御情報を受信したスロット（同期スロット）がスロット１となるようフレームタイミングを決定する。すなわちドアホン子機３は、ドアホン親機２ｂとのフレーム、スロットの同期を確立する。
【００９１】
同期確立後、同期スロットにおいて、ドアホン親機２ｂが送信する制御信号を受信することにより、同期の維持等を行う。制御部３１０は、同期スロットのタイミングに合わせてドアホン親機２ｂの制御信号を受信するよう無線部３０７を制御し、受信復調データをフレーム処理部３０６に出力する。フレーム処理部３０６は、復調されたパケットデータから同期信号を元に制御データフィールドを抽出し、制御データフィールドの受信データを制御部３１０に出力するとともに、同期信号を検出したタイミングを同期処理部３０５に通知する。同期処理部３０５は、同期信号を検出したタイミングが所定のタイミングとなるよう、フレーム、スロットのタイミング補正信号をフレーム処理部３０６に出力し、フレーム処理部３０６にてタイミング補正信号を元にフレーム、スロットのタイミングの補正を行う。
【００９２】
次に、カメラ子機４の動作について説明する。図４に示すように、最初に制御部４１０は、無線部４０７を連続受信状態にし、制御局が送信する制御情報の同期捕捉動作を開始する。そして無線部４０７で受信して復調されたパケットデータがフレーム処理部４０６に渡される。
【００９３】
フレーム処理部４０６では、復調されたパケットデータから同期信号を元に制御データフィールドを抽出し、制御データフィールドの受信データに基づいて送信元のＩＤおよび受信スロット番号を制御部４１０に出力する。
【００９４】
制御部４１０では、受信したＩＤがドアホンＩＤ記憶部４１３に登録されたＩＤに一致すると、ドアホンＩＤ記憶部４１３に登録されたＩＤを受信したスロットを同期スロットとして、以降はそのタイミングでドアホン親機２ｂの受信を行う。そして、制御信号を送信しているスロットを通知する制御情報を受信すると、ドアホン親機２ｂ（制御局）とのフレーム、スロットの同期を確立する。制御部４１０は、ドアホン親機２ｂの制御情報を受信する同期スロット以外のスロットの受信を停止し、待ち受け状態に移行する。例えば、ドアホン親機２ｂより制御信号を送信しているスロットが“１”であることを通知されると、制御情報を受信したスロット（同期スロット）がスロット１となるようフレームタイミングを決定する。すなわちカメラ子機４は、ドアホン親機２ｂとのフレーム、スロットの同期を確立する。
【００９５】
同期確立後、同期スロットにおいて、ドアホン親機２ｂが送信する制御信号を受信することにより、同期の維持等を行う。制御部４１０は、同期スロットのタイミングに合わせてドアホン親機２ｂの制御信号を受信するよう無線部４０７を制御し、受信復調データをフレーム処理部４０６に出力する。フレーム処理部４０６は、復調されたパケットデータから同期信号を元に制御データフィールドを抽出し、制御データフィールドの受信データを制御部４１０に出力するとともに、同期信号を検出したタイミングを同期処理部４０５に通知する。同期処理部４０５は、同期信号を検出したタイミングが所定のタイミングとなるよう、フレーム、スロットのタイミング補正信号をフレーム処理部４０６に出力し、フレーム処理部４０６にてタイミング補正信号を元にフレーム、スロットのタイミングの補正を行う。
【００９６】
優先呼送信処理部４１４は、使用可能な空きスロットが無い状態で、カメラ検知部４０１が設置場所近辺の人の動きなどを検知して映像データをドアホン親機２ｂに送信する必要が発生した場合、制御データフィールドの送信データに優先呼要求を設定してフレーム処理部４０６に出力して、同期裏スロットを使用して送信するように動作する。
【００９７】
次に、ドアホン親機２ｂ、ドアホン子機３およびカメラ子機４が通信を行う際の送信スロットおよび受信スロットの状態を図９から図１２に基づいて説明する。図９から図１２は、本発明の実施の形態に係る無線通信システム１において通信を行う際の送信スロットおよび受信スロットの状態を説明する図である。
【００９８】
図９に示すように、本実施の形態では、無線通信システム１内で予め決められた制御局側の送信スロットがスロット１からスロット４までの４つのスロット、同じく、従属局側の送信スロットがスロット５からスロット８までの４つのスロットで１つのフレームが構成された時分割多重のスロット配置を示し、無線通信システム１のタイムスロットは、送信スロットが４スロットと、その送信スロットに対応する受信スロットが４スロットとで構成される。
【００９９】
まずドアホン親機２ｂは、電源投入されると自己のタイミングでＴＤＭＡのフレーム／スロットのタイミングを決定して無線通信システム１内で予め決められた制御局側の送信スロットの中から任意のスロットを選択して制御情報の送信を開始する（Ｓ１）。そして、制御信号を送信するスロットに対応した制御局受信スロットを除いた制御局受信スロット、すなわち待ち受けスロットの受信を開始する（Ｓ２）。図９ではドアホン親機２ｂは、スロット１を選択して制御情報の送信を開始する例を示しており、制御情報を送信するスロット１が同期スロットとなり、スロット６からスロット８が待ち受けスロットとなる。またスロット５は同期裏スロットとなる。
【０１００】
この同期スロットで送信された制御情報に基づいて、ドアホン子機３が同期を確立する。すなわちドアホン子機３は、まず連続受信を起動し（Ｓ３）、ドアホン親機２ｂが送信する制御信号を受信すると、連続受信を停止し、制御信号に含まれるスロット番号等の情報を元にドアホン親機２ｂとのフレーム、スロットの同期を確立し（Ｓ４）、同期スロット以外の受信を停止して待ち受け状態となる（Ｓ５）。
【０１０１】
同様に、同期スロットで送信された制御情報に基づいてカメラ子機４が同期を確立する。すなわちカメラ子機４は、まず連続受信を起動し（Ｓ６）、ドアホン親機２ｂが送信する制御信号を受信すると、連続受信を停止し、制御信号に含まれるスロット番号等の情報を元にドアホン親機２ｂとのフレーム、スロットの同期を確立し（Ｓ７）、同期スロット以外の受信を停止して待ち受け状態となる（Ｓ８）。
【０１０２】
次に、ドアホン子機３から、ドアホン装置２に蓄積された映像データを閲覧するときのドアホン親機２ｂ、ドアホン子機３とカメラ子機４の通信の状態を図１０に基づいて説明する。なお図１０におけるドアホン親機２ｂ、ドアホン子機３、カメラ子機４の初期状態は、図９で説明した終わりの状態、すなわちドアホン親機２ｂが同期スロットで制御信号を送信しながら待ち受けスロットの受信を行い、ドアホン子機３とカメラ子機４は同期スロットの受信を行っている状態である。
【０１０３】
まずドアホン子機３の動作を説明する。操作部３０９により映像閲覧を制御部３１０に指示する。制御部３１０は無線部３０７より使用可能な空きスロットを検出することで、使用可能な空きスロット情報を取得し、映像データを伝送するためのスロットを選択する。伝送時間の短縮のために、複数スロットを使用して、高速で伝送を行うことも可能である。図１０では、３スロットを使用する場合を説明する。
【０１０４】
ドアホン子機３は、空きスロットの内１つを選択して、ドアホン親機２ｂに子機ＩＤ記憶部３１１に記憶されている識別符号（ＩＤ）を含む通話要求を送信する（Ｓ１０）。そして、ドアホン親機２ｂからの通話応答を受信すると（Ｓ１３）、以後、通話要求を送信したスロットの送信動作、および通話応答を受信したスロットの受信動作を継続する。
【０１０５】
図１０では、ドアホン親機２ｂがドアホン子機３と通信を行うスロットとしてスロット２，３，４とスロット６，７，８を選択した例を示している。
【０１０６】
次に、ドアホン親機２ｂの動作を説明する。ドアホン親機２ｂは、待ち受けスロットにて通話要求を受信すると（Ｓ１０）、受信した通話要求に含まれる送信元の識別符号（ＩＤ）を元に通話要求の送信元を調べる。そして送信元の識別符号（ＩＤ）が子機ＩＤ記憶部２１７に記憶されている識別符号（ＩＤ）と一致した場合、登録子機からの通話要求であることを認識し、通話要求を受信したスロットに対応する制御局送信スロットにて、通話応答の送信を行い（Ｓ１３）、以後、通話要求を受信したスロットの受信動作、および通話応答を送信したスロットの送信動作を継続する。図１０では、ドアホン親機２ｂがドアホン子機３と通信を行うスロットとしてスロット２，３，４とスロット６，７，８を選択した例を示しており、通話要求はＳ１０，Ｓ１１，Ｓ１２であり、通話応答はＳ１３，Ｓ１４，Ｓ１５である。また、スロットは全て使用中であり、新たな通話要求は受け付けることができない状態である。
【０１０７】
制御部２１４は、空きスロットが無いと判断すると、同期裏スロット（この例では、スロット５）で優先呼要求を受け付けるように動作する（Ｓ１６）。
【０１０８】
次に、カメラ子機４の動作を説明する。カメラ子機４に状態変化は無く、ドアホン親機２ｂと同期を維持している状態である。
【０１０９】
スロットが全て使用中の状態で、カメラ検知部４０１が設置場所近辺の人の動き等を検知して映像データをドアホン親機２ｂに送信する必要が発生したときの、ドアホン親機２ｂ、ドアホン子機３とカメラ子機４の通信の状態を図１１に基づいて説明する。この例では、カメラ映像は、他の通信に比べて優先的に送信を行うとする、すなわちカメラ子機４からの通話要求は優先呼であるとする。なお、図１１におけるドアホン親機２ｂ、ドアホン子機３、カメラ子機４の初期状態は、図１０で説明した終わりの状態であり、ドアホン親機２ｂにドアホン子機３、カメラ子機４が同期し、ドアホン親機２ｂとドアホン子機３は、スロット２，３，４とスロット６，７，８を使用して通信を行っている。つまり空きスロットは無い状態である。
【０１１０】
まずカメラ子機４の動作を説明する。カメラ検知部４０１のセンサにより設置場所近辺
の人の動き等を検知し、検知すると制御部４１０に通知する。制御部４１０は、無線部４０７より使用可能な空きスロット情報を取得し、映像データを伝送するためのスロットを選択する。空きスロットがある場合は、図１０でのドアホン子機３と同様にして、ドアホン親機２ｂに対して通話要求を行い、映像データの伝送を行う。
【０１１１】
空きスロットが無い場合、優先呼送信処理部４１４は、子機ＩＤ記憶部４１１に記憶されている識別符号（ＩＤ）を含む優先呼要求を、同期裏スロットを使用して送信して制御部４１０に要求する（Ｓ２０）。制御部４１０は、優先呼要求を、同期裏スロットを使用して送信するように、フレーム処理部４０６、無線部４０７の制御を行う。
【０１１２】
次に、ドアホン親機２ｂの動作を説明する。優先呼受信処理部２１５は、同期裏スロット（この例では、スロット５）で優先呼要求を受け付けると、予め決められた手順に従って、全通話中の呼の中から１つ選び、選んだ呼の使用スロット数を縮退、もしくは強制解放するように動作する。例えば、この場合、スロット２，５を解放するとする。
【０１１３】
優先呼受信処理部２１５は、スロット解放要求をドアホン子機３にスロット２を使用して送信するよう制御部２１４に要求する。
【０１１４】
制御部２１４は、スロット解放要求をスロット２を使用して送信後（Ｓ２１）、スロット２の送信を停止し、スロット６を待ち受けスロットとしてするように、フレーム処理部２０９、無線部２１０を動作させる（Ｓ２３）。
【０１１５】
次に、ドアホン子機３の動作を説明する。フレーム処理部３０６は、スロット解放要求を受信すると制御部３１０に通知する。制御部３１０は、要求を受信したスロットに対応する送信スロットで解放通知を送信し（Ｓ２２）、スロット６の送信を停止、スロット２の受信を停止し、他の通信でスロットが使用可能とする。
【０１１６】
次に、スロットが全て使用中の状態で、カメラ子機４から優先呼要求があり、ドアホン親機２ｂがスロットを強制解放後、カメラ子機４がドアホン親機２ｂと通話を行う場合の、ドアホン親機２ｂ、ドアホン子機３とカメラ子機４の通信の状態を図１２に基づいて説明する。なお、図１２におけるドアホン親機２ｂ、ドアホン子機３、カメラ子機４の初期状態は、図１１で説明した終わりの状態であり、ドアホン親機２ｂにドアホン子機３、カメラ子機４が同期し、ドアホン親機２ｂとドアホン子機３は、スロット３，４とスロット７，８を使用して通信を行っている状態である。つまり空きスロットが準備できた状態である。
【０１１７】
まずカメラ子機４の動作を説明する。優先呼送信処理部４１４は、優先呼要求を、同期裏スロットを使用して送信する。制御部４１０は、優先要求後に、無線部４０７より使用可能な空きスロットを検出することで、使用可能な空きスロット情報を取得し、映像データを伝送するためのスロットを選択する。無線部４０７より使用可能な空きスロット情報を取得し、空きスロットがある場合に、制御部４１０にドアホン親機２ｂとの通話を要求する。制御部４１０は空きスロットがある場合と同様に、空きスロットの中から１つを選択して、ドアホン親機２ｂに対して通話要求を行い（Ｓ３０）、通話応答を受信し（Ｓ３１）、映像データの伝送を行う。
【０１１８】
次に、ドアホン親機２ｂの動作を説明する。図１０においてドアホン子機３からの通話要求を受信した場合と同様に、カメラ子機４から通話要求を受信すると（Ｓ３０）、識別符号の一致を確認し、通話要求を受信したスロットに対応する制御局の送信スロットにて、通話応答の送信を行い（Ｓ３１）、以後、通話要求を受信したスロットの受信動作、および通話応答を送信したスロットの送信動作を継続する。
【０１１９】
次に、ドアホン子機３の動作を説明する。ドアホン子機３に状態変化は無く、スロット３，４とスロット７，８を使用してドアホン親機２ｂと通話している状態である。
【０１２０】
以上、本発明の実施の形態について説明してきたが、本発明は前記実施の形態に限定されるものではない。本実施の形態では、ドアホン子機がドアホン親機のスロットを全て使用した場合の例を示したが、複数の子機により親機のスロットが全て使用されても良い。
【０１２１】
また、本実施の形態では、優先呼としてカメラ子機の場合を例に示したが、ドアホン子機を含む他の子機、または玄関子機でも良い。
【０１２２】
また、本実施の形態では、優先呼要求時のスロット確保手段として、複数スロットを使用している場合のスロット縮退を示したが、その呼で使用中の全スロットを開放しても良い。
【０１２３】
また、本実施の形態では、従属局が優先呼要求を送信後、従属局にて空きスロットを検出する場合を例に示したが、制御局が同期スロットにて強制解放したスロット情報を報知し、従属局が受信した前記スロット情報に基づき、空きスロットを検出しても良い。
【０１２４】
また、本実施の形態では、従属局が優先呼要求を送信後、従属局主導でドアホン装置との通話確立を行う場合を例に示したが、制御局からＰＴメッセージで優先呼要求を行った従属局を呼び出すことにより通話確立を行っても良い。
【０１２５】
また、本実施の形態では、従属局が優先呼要求を送信後、従属局にて空きスロットを検出し、従属局主導でドアホン装置との通話確立を行う場合を例に示したが、制御局が同期スロットにて強制解放したスロット情報を報知するとともに、ＰＴメッセージで優先呼要求を行った従属局を呼び出し、従属局が受信した前記スロット情報に基づき空きスロットを検出して、通話確立を行っても良い。
【０１２６】
また、本実施の形態では、制御局が優先呼要求に応じて強制的にスロット解放直後に、通話要求を受信できた最初の従属局と通話確立を行う場合を例に示したが、制御局に優先呼要求を送信した従属局の識別番号（ＩＤ）を記憶し、識別番号の異なる従属局からの通話要求を拒絶しても良い。
【０１２７】
また、本実施の形態では、制御局が優先呼要求に応じて強制的にスロット解放する場合を例に示したが、優先呼要求以外の一般呼要求も同期裏スロットで送信を行い、制御局の送信する同期スロットで、一般呼要求を報知しても良い。
【０１２８】
また、本実施の形態では、制御局としてドアホン親機、従属局としてドアホン子機、カメラ子機を使用し、優先呼要求を同期裏スロットで送信する場合を例に示したが、ドアホン親機を上位の主制御局（例えば、電話親機）に対しては従属局として動作させ、ドアホン子機、カメラ子機に対しては副制御局として動作させる構成とし、カメラ子機からの優先呼要求を主制御局である電話親機の送信する主同期スロットに対応する受信スロット（主同期裏スロット）代わりに、使用しても良い。
【０１２９】
更に、従属局で前記主同期裏スロットと前記同期裏スロットの両方を使用して優先呼要求を送信し、制御局で、前記主同期裏スロットと前記同期裏スロットを同時に待ち受け、少なくともいずれかで優先呼要求を受信した場合に、優先呼要求の受信処理を行っても良い。
【産業上の利用可能性】
【０１３０】
本発明は、無線リソースが不足の状態で緊急通話などの優先呼が発生した場合に、無線リソースの強制解放を行うことで優先呼を確立させることが可能となるので、制御局と従属局とが時分割多重で通信を行う無線通信システムおよび無線通信方法に好適である。
【図面の簡単な説明】
【０１３１】
【図１】本発明の実施の形態に係る無線通信システムの構成を示す図
【図２】本発明の実施の形態に係るドアホン装置の構成を説明する図
【図３】本発明の実施の形態に係るドアホン子機の構成を説明する図
【図４】本発明の実施の形態に係るカメラ子機の構成を説明する図
【図５】玄関子機の外観図
【図６】ドアホン親機の外観図
【図７】ドアホン子機の外観図
【図８】（Ａ）パケットデータのフォーマットを説明する図、（Ｂ）パケットデータのフォーマットを説明する図
【図９】本発明の実施の形態に係る無線通信システムにおいて通信を行う際の送信スロットおよび受信スロットの状態を説明する図
【図１０】本発明の実施の形態に係る無線通信システムにおいて通信を行う際の送信スロットおよび受信スロットの状態を説明する図
【図１１】本発明の実施の形態に係る無線通信システムにおいて通信を行う際の送信スロットおよび受信スロットの状態を説明する図
【図１２】本発明の実施の形態に係る無線通信システムにおいて通信を行う際の送信スロットおよび受信スロットの状態を説明する図
【符号の説明】
【０１３２】
１    無線通信システム
２    ドアホン装置
２ａ    玄関子機
２ｂ    ドアホン親機
３    ドアホン子機
４    カメラ子機
１０１    カメラ部
１０２    通話部
１０３    呼び出し検知部
１０４    多重分離回路
２０１    モニタ回路
２０２    モニタ
２０３    画像情報記憶部
２０４    呼び出し検知部
２０５    報知部
２０６    音声回路
２０７    通話部
２０８    同期処理部
２０９    フレーム処理部
２１０    無線部
２１１    操作部
２１３    アンテナ
２１４    制御部
２１５    優先呼受信処理部
２１６    ドアホンＩＤ記憶部
２１７    子機ＩＤ記憶部
２２０    多重分離回路
３０１    報知部
３０２    音声回路
３０３    通話部
３０４    モニタ回路
３０５    同期処理部
３０６    フレーム処理部
３０７    無線部
３０８    アンテナ
３０９    操作部
３１０    制御部
３１１    子機ＩＤ記憶部
３１３    ドアホンＩＤ記憶部
３１４    モニタ
４０１    カメラ検知部
４０２    音声回路
４０３    通話部
４０４    カメラ部
４０５    同期処理部
４０６    フレーム処理部
４０７    無線部
４０８    アンテナ
４１０    制御部
４１１    子機ＩＤ記憶部
４１３    ドアホンＩＤ記憶部
４１４    優先呼送信処理部
１０１５    マイク
１０１６    スピーカ
１０１８    応答ボタン
１０２０    ＬＣＤパネル
１１０７    ＬＣＤパネル
１１０９    応答ボタン
１１１０    マイク
１１１１    スピーカ
１２０１    カメラ
１２０２    マイク
１２０３    スピーカ
１２０４    呼び出しボタン
【図１】
2007194783.tif 000003
【図２】
2007194783.tif 000004
【図３】
2007194783.tif 000005
【図４】
2007194783.tif 000006
【図５】
2007194783.tif 000007
【図６】
2007194783.tif 000008
【図７】
2007194783.tif 000009
【図８】
2007194783.tif 000010
【図９】
2007194783.tif 000011
【図１０】
2007194783.tif 000012
【図１１】
2007194783.tif 000013
【図１２】
2007194783.tif 000014